(57)【要約】【課題】円錐形状に組み立てて使用するとき、円錐形状のパッド組み立て体における先細りの先端部がギャザーで完全に塞がれる男性用尿取りパッドを提供すること。【解決手段】男性用尿取りパッド１は、透液性表面シート３と不透液性裏面シート４との間に吸液性コア５を介在して形成されている。このパッド１は、表面シート３を内側にして下端部２ｂの両側角部２ｅ、２ｆをそれぞれ反対側の側部２ｃ、２ｄ方向へ折り返して円錐形状に組み立てて使用される。パッドの下端部２ｂには、コア５の下端縁に沿って収縮可能な伸縮性弾性部材６ｂが取り付けられ、これに対向するコア５の下端縁に凹部８が形成され、伸縮性弾性部材６ｂとこれに対向するコア５の下端縁８ａとを離隔して、下端部２ｂでのギャザーの立ち上がりを向上させる。【選択図】　　　図１
2004057578.tif 000002
【特許請求の範囲】
【請求項１】
透液性表面シートと不透液性裏面シートとの間に吸液性コアが介在し、前記コアの上下端縁の外側に位置して横方向へ延びる上下端部と、前記コアの両側縁の外側に位置して縦方向へ延びる両側部とを有し、横方向へ延びる伸縮性弾性部材が前記上端部と前記下端部とに収縮可能に取り付けられ、前記表面シートを内側にして前記下端部と前記両側部との交差角部付近を互いに重ね合わせ、前記上端部から前記下端部に向かうにつれて先細りのペニス収容部を画成する男性用尿取りパッドにおいて、
前記コアの下端縁には、凹部が形成され、前記伸縮性弾性部材とこれにほぼ並行な前記コアの前記下端縁とが前記凹部において縦方向へ所定の寸法離隔していることを特徴とする男性用尿取りパッド。
【請求項２】
前記伸縮性弾性部材と前記凹部における前記伸縮性弾性部材にほぼ並行な前記コアの前記下端縁との離間寸法が、１０ｍｍ〜４０ｍｍの範囲である請求項１に記載の男性用尿取りパッド。
【請求項３】
前記吸液性コアは、その剛性が１００〜２５０ｍＮ・ｍｍである請求項１又は２に記載の男性用尿取りパッド。
【発明の詳細な説明】
【０００１】
【発明の属する技術分野】
本発明は、男性用尿取りパッドに関する。
【０００２】
【従来の技術】
実開平２−６０２４号公報には、使い捨て吸収性パッドが開示されている。この公開実用新案公報に開示された考案に係る使い捨て吸収性パッドは、透液性表面シート及び不透液性裏面シートの間に吸液性コアを介在させ、対向する上下端部に伸縮部材を設けたほぼ長方形状のパッド本体から構成されていた。
【０００３】
この使い捨て吸収性パッドは男性用尿取りパッドとして用いられるもので、パッド本体の横方向へ延びる一方の端部における両側角部をそれぞれ反対側の縦方向へ延びる側部方向へ三角形状に折り返し、折り返された両側部を重ね合わせ、先端部をすぼめた円錐形状に組み立てて使用するものであった。
【０００４】
【発明が解決しようとする課題】
しかしながら、上記した従来の使い捨て吸収性パッドでは、先端部をすぼめた円錐形状に組み立てられたときの先細りの先端部が、この先端部側に設けた伸縮部材で形成されたギャザーで塞がり難く、漏出する心配が完全に解消されなかった。
【０００５】
この発明の目的は、かかる従来の問題点を解決するためになされたもので、横方向へ延びる一方の端部における両側角部をそれぞれ反対側の縦方向へ延びる側部方向へ折り返し、折り返された両側部を重ね合わせて円錐形状に組み立てて使用するとき、先細りの先端部がギャザーで完全に塞がれる男性用尿取りパッドを提供することにある。
【０００６】
【課題を解決するための手段】
上記した課題解決のために、この発明が特徴とするところは、透液性表面シートと不透液性裏面シートとの間に吸液性コアが介在し、前記コアの上下端縁の外側に位置して横方向へ延びる上下端部と、前記コアの両側縁の外側に位置して縦方向へ延びる両側部とを有し、横方向へ延びる伸縮性弾性部材が前記上端部と前記下端部とに収縮可能に取り付けられ、前記表面シートを内側にして前記下端部と前記両側部との交差角部付近を互いに重ね合わせ、前記上端部から前記下端部に向かうにつれて先細りのペニス収容部を画成する男性用尿取りパッドにおいて、前記コアの下端縁には、凹部が形成され、前記伸縮性弾性部材とこれにほぼ並行な前記コアの前記下端縁とが前記凹部において縦方向へ所定の寸法離隔していることにある。
【０００７】
この発明に係る男性用尿取りパッドにおける好ましい実施態様のひとつは、前記伸縮性弾性部材と前記凹部において前記伸縮性弾性部材にほぼ並行な前記コアの前記下端縁との離間寸法を、１０ｍｍ〜４０ｍｍの範囲としたことにある。また、この発明に係る男性用尿取りパッドにおける好ましい他の実施態様としては、剛性が１００〜２５０ｍＮ・ｍｍの前記吸液性コアを用いることである。
【０００８】
【発明の実施の形態】
以下、本発明に係る男性用尿取りパッドを図に示される実施形態について更に詳細に説明する。図１は本発明の一実施形態に係る男性用尿取りパッド１（以下、単にパッドと称する）を示す平面図である。このパッド１は、透液性表面シート３と不透液性裏面シート４との間に吸液性コア５が介在されて形成され、長方形状を呈している。表面シート３と裏面シート４とは、コア５を囲む周囲側部で熱融着、超音波融着、接着剤などの周知の手段で接合され、コア５を密封している。４つの周囲側部のうち、横方向へ延びる対向した上端部２ａ及び下端部２ｂには、収縮可能な伸縮性弾性部材６ａ、６ｂが両シート３、４間に取り付けられている。
【０００９】
伸縮性弾性部材６ａ、６ｂは糸状又は帯状のものを使用することができ、伸縮性弾性部材６ａ、６ｂが取り付けられた上下端部２ａ、２ｂには、これが収縮することによりギャザーが形成される。パッド１は、その上下端部２ａ、２ｂの長さが約３７０ｍｍ、縦方向へ延びる両側部２ｃ、２ｄの長さが約２００ｍｍであり、この大きさのパッド１において伸縮性弾性部材６ａ、６ｂの長さは、約２００ｍｍである。
【００１０】
ここで、このパッド１の使用時における組み立て方法について説明する。このパッド１は、図２に示されるように表面シート３を内側にして下端部２ｂと両側部２ｃ、２ｄとの交差角部２ｅ、２ｆを矢印線７ａのようにそれぞれ反対側の側部２ｃ、２ｄ方向へ仮想の折り線７ｂに沿うように折り返して交差角部２ｅ、２ｆ付近を互いに重ね合わせ、図３に示されるように上部から下部に向かうにつれて先細りのペニス収容部を画成する円錐形状に組み立てられる。
【００１１】
折り返された両側部２ｃ、２ｄを互いに重ねるとき、裏面シート４の表面であって、交差角部２ｅに近接して貼り付けられた両面接着テープ９ａの表面粘着剤層を保護している離型紙を除去して両側部２ｃ、２ｄの重なり状態を固定する。また、裏面シート４の表面であって、側部２ｄに近接して貼り付けられた両面接着テープ９ｂの表面粘着剤層を保護している離型紙を除去して、上述のように円錐形状に組み立てられたパッド組み立て体１０を、おむつや下着に固定する。
【００１２】
このようなパッド組み立て体１０における先細りの先端部１１は、パッド１の下端部２ｂが丸められて形成され、逆に大径の開口部１２は上端部２ａにより形成される。前者の先細りの先端部１１は、開孔が形成されないように左右両側部２ｃ、２ｄを２重に重ねて、伸縮性弾性部材６ｂによりパッド１の下端部２ｂに形成されるギャザーにより塞がれる。この点については後で詳しく説明する。次いで、この円錐形状のパッド組み立て体１０の大径開口部１２から内部に図３に仮想線で示すようにペニスを挿入して使用する。また、パッド組み立て体１０は、図２のようにパッド１をペニスに当てながら形成（組み立て）してもよい。
【００１３】
この円錐形状のパッド組み立て体１０において、伸縮性弾性部材６ｂにより下端部２ｂに形成されるギャザーが、先細りの先端部１１を塞ぐとき、下端部２ｂのギャザーが、この先端部１１を完全に塞ぐようにパッド１の表面に対して効果的に立ち上がって立体ギャザーを形成する必要がある。そのようなギャザーを下端部２ｂに形成するために、伸縮性弾性部材６ｂに隣接するコア５の下端縁における横方向ほぼ中央域には凹部８が形成されている。具体的には、この凹部８は、伸縮性弾性部材６ｂにほぼ対向する下端縁における横方向ほぼ中央域の範囲に形成されており、伸縮性弾性部材６ｂとこれに対向するコア５の下端縁８ａとを所定の距離だけ離隔させる作用をしている。
【００１４】
この凹部８の深さを、伸縮性弾性部材６ｂとの距離で規定すると、伸縮性弾性部材６ｂと、これに並行でかつ凹部８を画成するコア５の下端縁８ａとの距離ｈは、約１０ｍｍ〜約４０ｍｍの範囲であることが好ましい。この距離ｈが、１０ｍｍ以下であると、コア５とギャザーとの位置が狭くなり、下端部２ｂに形成されるギャザーの立ち上がりが低く、ギャザーによって先細りの先端部１１を十分に塞ぐことができず、先細りの先端部１１から尿漏れを起こす恐れがある。また、コア５の下端縁が伸縮性弾性部材６ｂに近いため、伸縮性弾性部材６ｂの収縮時にコア５の剛性が影響して下端部２ｂにギャザーが形成され難くなる。
【００１５】
他方、この距離ｈが、４０ｍｍを越えると、コア５とギャザーとの位置が広くなるため下端部２ｂに形成されるギャザーの立ち上がりが高く、ギャザーによって先細りの先端部１１を十分に塞ぐことができ、先細りの先端部１１からの尿漏れを防ぐことができるが、ギャザーの立ち上がりが高く、かつ伸縮性弾性部材６ｂの収縮状態によって下端部２ｂの中央部でのギャザーが密になり、逆に両端部側のギャザーが広くなるため、パッド１の表面から立ち上がったギャザーが内側に倒れ込み易くなる。このようになると、コア５の表面積が減少し、さらにギャザーがコア５上に覆いかぶさることで吸収機能を阻害する。
【００１６】
なお、凹部８の両側方におけるコア５の下端縁と伸縮性弾性部材６ｂとの距離ｉは約５ｍｍとされている。この距離ｉは、従来の男性用尿取りパッドにおける伸縮性弾性部材とコア端縁との距離と同じであり、従って上端部２ａにおける伸縮性弾性部材６ａとコア５の上端縁との距離もこの寸法である。
【００１７】
このようなことから、伸縮性弾性部材６ｂとこれに並行な凹部８内の下端縁８ａまでの距離ｈを約１０ｍｍ〜約４０ｍｍの範囲にすることが、下端部２ｂに形成されるギャザーの立ち上がり高さ、及び立ち上がった状態の保持性の点で最適であり、下端部２ｂによって形成される先細りの先端部１１をこのギャザーによって効果的に塞ぐことができるのである。この場合、前記距離ｈを１５ｍｍ〜２５ｍｍにするとより最適であり、また前記距離ｈを２０ｍｍとすると一層最適である。
【００１８】
また、パッド組み立て体１０の先細りの先端部１１を塞ぐのに好適なギャザーをパッド１の下端部２ｂに形成するには、前述したようにコア５の剛性も影響する。従って、コア５の剛性としては１００〜２５０ｍＮ・ｍｍが好ましく、剛性がこれより高いと、パッド組み立て体１０における先細りの先端部１１を塞ぐのに好適なギャザーの形成が下端部２ｂにできないばかりか、装着者に対する違和感を与え、また剛性がこれより低いと、コア５に変形を起こすと共に組み立て時の操作性（組み立て性）を悪化させることになる。
なお、コア５の剛性は、ＪＩＳ　Ｐ−８１２５に準拠して、以下のような条件により測定された。
（１）試験使用器具
ａ．厚さ測定器
（ヒ゜ーコック　タ゛イアル　厚さケ゛ーシ゛　Ｎｏ．ＣＩ１３５２　径５０ｍｍ・荷重３ｇ／ｃｍ２）
ｂ．テーバー試験機
（機械を水平に調整し、試験片回転装置０と荷重目盛り０を合わせる。）
（２）試料の採取
ａ．ブランド別に合せて、サンプルを採取。
（サンプルは７０ｍｍ×３８．１ｍｍに切断して採取。）
（３）標準の試料の採取　ｎ＝５
（４）手順
ａ．厚さ測定器でサンプルを静かに挟み、厚みを測る。単位；（３桁）ｍｍ
ｂ．試験片（サンプル）を試験片曲げ装置のローラーの間に入れ、試験片掴みとサンプルが同一直線状になり、かつ、中心刻線が荷重目盛りの０となるように取り付ける（掴み間隔はサンプル厚みと合わせる）。
ｃ．ローラーから試験片までの距離を０．５ｍｍ程（サンプルが付くか付かない程度）にする。
ｄ．試験片曲げ装置を回転させ、試験片曲げ装置の１５度を示す刻線と荷重振り子の指針とが一致した点で曲げ装置の回転を停止し、この時、振り子の指針の指示する荷重目盛りを読み取る。
ｅ．直ちに逆の方向に回転させて、同様に荷重目盛りを読み取り、左右両方向の荷重目盛りの平均値を求める。
※指示荷重目盛りが最大目盛りの１５〜８５％の範囲に入るように補助重りを任意に選定すること。
（５）結果の記録
計算式　左右の目盛りの読みの平均値×重りの数値÷１０００×９．８０７
上部補助重り‥‥１／２，１／２．５，１／４
下部補助重り‥‥１０，２０，４０
単位：Ｎ・ｃｍ（３桁）
【００１９】
このように上記した実施形態のパッド１によると、表面シート３を内側にして下端部２ｂにおける両側角部２ｅ、２ｆをそれぞれ反対側の側部２ｃ、２ｄ方向へ仮想の折り線７ｂに沿うようにほぼ三角形状に折り返して重ね、これを両面接着テープ９ａで止めるだけで組み立てることができるため、非常に組み立てが容易で、しかも先細りの先端部１１は、下端部２ｂにおいてパッド１の表面に対して立ち上がったギャザーにより効果的に塞がれることから、尿漏れの発生を防ぐことができる。
【００２０】
なお、表面シート３には、親水性繊維不織布、多数の開孔を有する疎水性繊維不織布、微細な多数の開孔を有する透液性プラスチックフィルムのいずかを使用することができる。裏面シート４には、疎水性繊維不織布や不透液性プラスチックフィルム、２枚の疎水性繊維不織布をラミネートした複合不織布、疎水性繊維不織布と通気不透液性プラスチックフィルムとをラミネートした複合シートのいずれかを使用することができる。
【００２１】
表裏面シート３、４を形成する不織布には、スパンレース、ニードルパンチ、メルトブローン、サーマルボンド、スパンボンド、ケミカルボンド、エアースルーの各製法により製造されたものを使用することができる。不織布の構成繊維としては、ポリオレフィン系、ポリエステル系、ポリアミド系の各繊維、ポリエチレン／ポリプロピレンやポリエチレン／ポリエステルからなる芯鞘型複合繊維または並列型複合繊維を使用することができる。
【００２２】
コア５は、フラッフパルプと高吸収性ポリマー粒子との混合物、またはフラッフパルプと高吸収性ポリマー粒子と熱可塑性合成樹脂繊維との混合物であり、所要厚みに圧縮されている。コア５は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００２３】
不織布どうしの固着、表裏面シート３、４どうしの固着、表裏面シート３、４に対するコア５の固着には、ホットメルト型接着剤、またはヒートシールやソニックシール等の熱による溶着手段を利用することができる。
【００２４】
【発明の効果】
この発明の男性用尿取りパッドによれば、ギャザー形成用の伸縮性弾性部材に対向する吸液性コアの下端縁に凹部を形成して、伸縮性弾性部材と吸液性コアの下端縁とを好適な距離だけ離隔したことにより、この男性用尿取りパッドを円錐形状に組み立てても、先細りの先端部が、吸液性コアの折り返しとギャザーにより効果的かつ安定的に塞がれるため、尿漏れの発生を防ぐことができる。
【図面の簡単な説明】
【図１】この発明の一実施形態に係る男性用尿取りパッドの平面図である。
【図２】男性用尿取りパッドを円錐形状の組み立て体に形成する状態を示す平面図である。
【図３】男性用尿取りパッドを円錐形状に組み立てて使用する状態を概略的に示す斜視図である。
【符号の説明】
１　男性用尿取りパッド
２ａ、２ｂ　男性用尿取りパッドの上下端部
２ｃ、２ｄ　男性用尿取りパッドの側部
２ｅ、２ｆ　下端部と両側部との交差角部
３　透液性表面シート
４　不透液性裏面シート
５　吸液性コア
６ａ、６ｂ　伸縮性弾性部材
７　仮想の折り線
８　凹部
８ａ　凹部を画成し、伸縮性弾性部材と並行な吸液性コア下端縁
９ａ、９ｂ　両面接着テープ
１０　円錐形状のパッド組み立て体
１１　先細りの先端部
１２　大径開口部
【図１】
2004057578.tif 000003
【図２】
2004057578.tif 000004
【図３】
2004057578.tif 000005